(57)【要約】【課題】ＭＭＴ提示クライアント装置における無駄な待機を削減する。【解決手段】同期制御装置５は、複数のＭＭＴ提示クライアント装置６のそれぞれから、ＭＭＴＰデータをデコードしてから、ＭＭＴＰデータをＭＭＴ提示装置７に入力するまでの提示待機量を取得する提示待機量取得部５１と、複数のＭＭＴ提示クライアント装置６の各提示待機量を比較して、最も提示待機量の少ない提示待機量に基づいて、提示待機量の低減量を算出する低減量算出部５２と、低減量算出部５２によって算出された低減量に基づいて、デコードされたＭＭＴＰデータをＭＭＴ提示装置７が提示するタイミングを早める指示を入力する提示時刻補正部５３を備える。【選択図】      図１
2018207142.tif 000002
【特許請求の範囲】
【請求項１】
ＭＭＴ送信システムからＭＭＴＰデータを受信するＭＭＴ受信システムであって、
前記ＭＭＴＰデータを受信してデコードし、指定された提示時刻にあわせて前記デコードされたＭＭＴＰデータを後記ＭＭＴ提示装置に入力する複数のＭＭＴ提示クライアント装置と、
前記複数のＭＭＴ提示クライアント装置に対応して接続し、デコードされたＭＭＴＰデータを提示する複数のＭＭＴ提示装置と、
前記複数のＭＭＴ提示クライアント装置にそれぞれ接続する同期制御装置を備え、
前記同期制御装置は、
前記複数のＭＭＴ提示クライアント装置のそれぞれから、前記ＭＭＴＰデータをデコードしてから、前記ＭＭＴＰデータを前記ＭＭＴ提示装置に入力するまでの提示待機量を取得する提示待機量取得部と、
前記複数のＭＭＴ提示クライアント装置の各提示待機量を比較して、最も提示待機量の少ない提示待機量に基づいて、提示待機量の低減量を算出する低減量算出部と、
前記低減量算出部によって算出された低減量に基づいて、前記デコードされたＭＭＴＰデータを前記ＭＭＴ提示装置が提示するタイミングを早める指示を入力する提示時刻補正部
を備えることを特徴とするＭＭＴ受信システム。
【請求項２】
前記低減量算出部は、前記最も提示待機量の少ないＭＭＴ提示クライアント装置の提示待機量が、所定の最低提示待機量よりも大きくなるように、前記低減量を算出する
ことを特徴とする請求項１に記載のＭＭＴ受信システム。
【請求項３】
前記提示時刻補正部は、前記複数のＭＭＴ提示クライアント装置のそれぞれに対して、前記指示を入力する
ことを特徴とする請求項１または２に記載のＭＭＴ受信システム。
【請求項４】
前記提示時刻補正部は、前記ＭＭＴ送信システムに対して、前記指示を入力する
ことを特徴とする請求項１または２に記載のＭＭＴ受信システム。
【請求項５】
ＭＭＴ送信システムからＭＭＴＰデータを受信するＭＭＴ受信システムに用いられる同期制御装置であって、
前記ＭＭＴ受信システムは、
前記ＭＭＴＰデータを受信してデコードし、指定された提示時刻にあわせて前記デコードされたＭＭＴＰデータを後記ＭＭＴ提示装置に入力する複数のＭＭＴ提示クライアント装置と、
前記複数のＭＭＴ提示クライアント装置に対応して接続し、デコードされたＭＭＴＰデータを提示する複数のＭＭＴ提示装置と、
前記複数のＭＭＴ提示クライアント装置にそれぞれ接続する同期制御装置を備え、
前記同期制御装置は、
前記複数のＭＭＴ提示クライアント装置のそれぞれから、前記ＭＭＴＰデータをデコードしてから、前記ＭＭＴＰデータを前記ＭＭＴ提示装置に入力するまでの提示待機量を取得する提示待機量取得部と、
前記複数のＭＭＴ提示クライアント装置の各提示待機量を比較して、最も提示待機量の少ない提示待機量に基づいて、提示待機量の低減量を算出する低減量算出部と、
前記低減量算出部によって算出された低減量に基づいて、前記デコードされたＭＭＴＰデータを前記ＭＭＴ提示装置が提示するタイミングを早める指示を入力する提示時刻補正部
を備えることを特徴とする同期制御装置。
【請求項６】
前記低減量算出部は、前記最も提示待機量の少ないＭＭＴ提示クライアント装置の提示待機量が、所定の最低提示待機量よりも大きくなるように、前記低減量を算出する
ことを特徴とする請求項５に記載の同期制御装置。
【請求項７】
ＭＭＴ送信システムからＭＭＴＰデータを受信するＭＭＴ受信システムに用いられる同期制御方法であって、
前記ＭＭＴ受信システムは、
前記ＭＭＴＰデータを受信してデコードし、指定された提示時刻にあわせて前記デコードされたＭＭＴＰデータを後記ＭＭＴ提示装置に入力する複数のＭＭＴ提示クライアント装置と、
前記複数のＭＭＴ提示クライアント装置に対応して接続し、デコードされたＭＭＴＰデータを提示する複数のＭＭＴ提示装置と、
前記複数のＭＭＴ提示クライアント装置にそれぞれ接続する同期制御装置を備え、
前記同期制御方法は、
前記同期制御装置が、前記複数のＭＭＴ提示クライアント装置のそれぞれから、前記ＭＭＴＰデータをデコードしてから、前記ＭＭＴＰデータを前記ＭＭＴ提示装置に入力するまでの提示待機量を取得するステップと、
前記同期制御装置が、前記複数のＭＭＴ提示クライアント装置の各提示待機量を比較して、最も提示待機量の少ない提示待機量に基づいて、提示待機量の低減量を算出するステップと、
前記同期制御装置が、算出された低減量に基づいて、前記デコードされたＭＭＴＰデータを前記ＭＭＴ提示装置が提示するタイミングを早める指示を入力するステップ
を備えることを特徴とする同期制御方法。
【請求項８】
コンピュータに、請求項５に記載の同期制御装置として機能させるための同期制御プログラム。
【発明の詳細な説明】
【技術分野】
【０００１】
本発明は、ＭＭＴ送信システムからＭＭＴＰデータを受信するＭＭＴ受信システム、ＭＭＴ受信システムで用いられる同期制御装置、同期制御方法および同期制御プログラムに関する。
【背景技術】
【０００２】
近年の情報機器および情報通信の発達に伴い、多様な映像配信形態が提供されている。例えば、話者と聴講者とが異なる物理空間に位置する場合でも、それぞれの物理空間に、ディスプレイ、スピーカー、カメラおよびマイクを設け、通信ネットワークで接続することにより、話者と聴講者とが、互いをリアルに感じてコミュニケーションすることを可能としている。また、複数のディスプレイやカメラを設け、これらを同期させて、迫力のある映像や音声を再生する映像配信形態も可能としている。
【０００３】
このような映像配信形態を実現するために、国際標準規格のＭＭＴ（MPEG Media Transport）が用いられる場合がある（例えば非特許文献１参照）。
【０００４】
ＭＭＴでは、送信側システムから受信側システムに、ＭＭＴＰ（MPEG Media Transport Protocol）データが送信される。このＭＭＴＰデータにおいて、コンテンツの提示時刻をＵＴＣ（Coordinated Universal Time）で指定することが可能である。従って、放送と通信のように、伝送経路が異なる場合でも、再生側で各コンテンツを同期して提示することが可能である。
【０００５】
受信側システムにおいて、ＭＭＴ提示クライアント装置が、ＭＭＴＰデータをデコードして、ＵＴＣで指定された提示時刻にコンテンツを提示するように、ＭＭＴ提示装置にデコードしたＭＭＴＰデータを入力し、ＭＭＴ提示装置が入力されたデータを再生する。
【先行技術文献】
【非特許文献】
【０００６】
【非特許文献１】一般社団法人  電波産業会、“ARIB STD-B60  デジタル放送におけるMMTによるメディアトランスポート方式  標準規格  ＡＲＩＢ  ＳＴＤ−Ｂ６０  １．４版”、平成２７年９月３０日
【発明の概要】
【発明が解決しようとする課題】
【０００７】
ここで、ＭＭＴ提示クライアント装置がＭＭＴ提示装置にデータを入力する際、ＵＴＣで指定された提示時刻にコンテンツを提示するために、ＭＭＴ提示クライアント装置内でＭＭＴ提示装置への入力を待機する場合がある。コンテンツの提示時刻は、送信側システムで設定されるため、受信側システムの全てのＭＭＴ提示クライアント装置において、ＭＭＴ提示装置への入力を待機する場合、無駄な待機が発生する場合がある。
【０００８】
従って本発明の目的は、ＭＭＴ提示クライアント装置における無駄な待機を削減することができるＭＭＴ受信システム、同期制御装置、同期制御方法および同期制御プログラムを提供することである。
【課題を解決するための手段】
【０００９】
上記課題を解決するために、本発明の第１の特徴は、ＭＭＴ送信システムからＭＭＴＰデータを受信するＭＭＴ受信システムに関する。第１の特徴に係るＭＭＴ受信システムは、ＭＭＴＰデータを受信してデコードし、指定された提示時刻にあわせて前記デコードされたＭＭＴＰデータを後記ＭＭＴ提示装置に入力する複数のＭＭＴ提示クライアント装置と、複数のＭＭＴ提示クライアント装置に対応して接続し、デコードされたＭＭＴＰデータを提示する複数のＭＭＴ提示装置と、複数のＭＭＴ提示クライアント装置にそれぞれ接続する同期制御装置を備える。同期制御装置は、複数のＭＭＴ提示クライアント装置のそれぞれから、前記ＭＭＴＰデータをデコードしてから、前記ＭＭＴＰデータを前記ＭＭＴ提示装置に入力するまでの提示待機量を取得する提示待機量取得部と、複数のＭＭＴ提示クライアント装置の各提示待機量を比較して、最も提示待機量の少ない提示待機量に基づいて、提示待機量の低減量を算出する低減量算出部と、低減量算出部によって算出された低減量に基づいて、前記デコードされたＭＭＴＰデータを前記ＭＭＴ提示装置が提示するタイミングを早める指示を入力する提示時刻補正部を備える。
【００１０】
低減量算出部は、前記最も提示待機量の少ないＭＭＴ提示クライアント装置の提示待機量が、所定の最低提示待機量よりも大きくなるように、前記低減量を算出しても良い。
【００１１】
提示時刻補正部は、前記複数のＭＭＴ提示クライアント装置のそれぞれに対して、前記指示を入力しても良い。或いは、提示時刻補正部は、前記ＭＭＴ送信システムに対して、前記指示を入力しても良い。
【００１２】
本発明の第２の特徴は、ＭＭＴ送信システムからＭＭＴＰデータを受信するＭＭＴ受信システムに用いられる同期制御装置に関する。ＭＭＴ受信システムは、ＭＭＴＰデータを受信してデコードし、指定された提示時刻にあわせて前記デコードされたＭＭＴＰデータを後記ＭＭＴ提示装置に入力する複数のＭＭＴ提示クライアント装置と、複数のＭＭＴ提示クライアント装置に対応して接続し、デコードされたＭＭＴＰデータを提示する複数のＭＭＴ提示装置と、複数のＭＭＴ提示クライアント装置にそれぞれ接続する同期制御装置を備える。第２の特徴に係る同期制御装置は、複数のＭＭＴ提示クライアント装置のそれぞれから、前記ＭＭＴＰデータをデコードしてから、前記ＭＭＴＰデータを前記ＭＭＴ提示装置に入力するまでの提示待機量を取得する提示待機量取得部と、複数のＭＭＴ提示クライアント装置の各提示待機量を比較して、最も提示待機量の少ない提示待機量に基づいて、提示待機量の低減量を算出する低減量算出部と、低減量算出部によって算出された低減量に基づいて、前記デコードされたＭＭＴＰデータを前記ＭＭＴ提示装置が提示するタイミングを早める指示を入力する提示時刻補正部を備える。
【００１３】
低減量算出部は、前記最も提示待機量の少ないＭＭＴ提示クライアント装置の提示待機量が、所定の最低提示待機量よりも大きくなるように、前記低減量を算出しても良い。
【００１４】
本発明の第３の特徴は、ＭＭＴ送信システムからＭＭＴＰデータを受信するＭＭＴ受信システムに用いられる同期制御方法に関する。ＭＭＴ受信システムは、ＭＭＴＰデータを受信してデコードし、指定された提示時刻にあわせて前記デコードされたＭＭＴＰデータを後記ＭＭＴ提示装置に入力する複数のＭＭＴ提示クライアント装置と、複数のＭＭＴ提示クライアント装置に対応して接続し、デコードされたＭＭＴＰデータを提示する複数のＭＭＴ提示装置と、複数のＭＭＴ提示クライアント装置にそれぞれ接続する同期制御装置を備える。第３の特徴に係る前記同期制御方法は、同期制御装置が、複数のＭＭＴ提示クライアント装置のそれぞれから、前記ＭＭＴＰデータをデコードしてから、前記ＭＭＴＰデータを前記ＭＭＴ提示装置に入力するまでの提示待機量を取得するステップと、同期制御装置が、前記複数のＭＭＴ提示クライアント装置の各提示待機量を比較して、最も提示待機量の少ない提示待機量に基づいて、提示待機量の低減量を算出するステップと、同期制御装置が、算出された低減量に基づいて、前記デコードされたＭＭＴＰデータを前記ＭＭＴ提示装置が提示するタイミングを早める指示を入力するステップを備える。
【００１５】
本発明の第４の特徴は、コンピュータに、本発明の第２の特徴に記載の同期制御装置として機能させるための同期制御プログラムに関する。
【発明の効果】
【００１６】
本発明によれば、ＭＭＴ提示クライアント装置における無駄な待機を削減することができるＭＭＴ受信システム、同期制御装置、同期制御方法および同期制御プログラムを提供することができる。
【図面の簡単な説明】
【００１７】
【図１】本発明の実施の形態に係るＭＭＴ配信システムのシステム構成を説明する図である。
【図２】本発明の実施の形態に係るＭＭＴ受信システムのシステム構成を説明する図である。
【図３】本発明の実施の形態に係る同期制御装置のハードウエア構成と機能構成を説明する図である。
【図４】本発明の実施の形態に係る同期制御装置が、無駄な待機量を削減する例を説明する図である。
【図５】本発明の実施の形態に係る同期制御装置の処理を説明するフローチャートである。
【発明を実施するための形態】
【００１８】
次に、図面を参照して、本発明の実施の形態を説明する。以下の図面の記載において、同一または類似の部分には同一または類似の符号を付している。
【００１９】
（ＭＭＴ配信システム）
図１を参照して、本発明の実施の形態に係るＭＭＴ配信システム１を説明する。ＭＭＴ配信システム１は、ＭＭＴ送信システム２およびＭＭＴ受信システム３を備える。ＭＭＴ送信システム２およびＭＭＴ受信システム３は、通信ネットワーク４によって双方向に通信可能に接続される。通信ネットワーク４は、インターネットやＬＡＮなどである。
【００２０】
図１を示す例では、便宜的に一方の物理空間にＭＭＴ送信システム２が設けられ、もう一方の物理空間にＭＭＴ受信システム３が設けられる場合を説明するが、両方の物理空間に、ＭＭＴ送信システム２およびＭＭＴ受信システム３の両方が設けられても良い。また、図１に示す例では、２つの物理空間におけるＭＭＴの送受信を説明するが、物理空間の数は、３以上であっても良い。
【００２１】
ＭＭＴ送信システム２は、カメラおよびマイクなどから映像・音声データＤ１を取得し、ＭＭＴＰパケットに変換して、ＭＭＴＰパケットで構成されるＭＭＴＰデータを、通信ネットワーク４を介してＭＭＴ受信システム３に送信する。ＭＭＴ受信システム３は、ＭＭＴ送信システムからＭＭＴＰパケットで構成されるＭＭＴＰデータを受信し、ＭＭＴＰデータを受信してデコードし、ディスプレイおよびスピーカーなどを介して映像・音声データＤ３を出力する。
【００２２】
ここでＭＭＴ送信システム２は、ＭＭＴ受信システム３で映像・音声データＤ３を提示する時刻をＵＴＣで指定する。ＭＭＴ受信システム３は、ＭＭＴ送信システム２で指定された時刻に先駆けてデコードなどを終えて、ＭＭＴ送信システム２で指定された時刻に提示可能なように、映像・音声データＤ３を提示する。
【００２３】
（ＭＭＴ受信システム）
図２を参照して、ＭＭＴ受信システム３を説明する。ＭＭＴ受信システム３は、同期制御装置５、ＭＭＴ提示クライアント装置群１１およびＭＭＴ提示装置群１２を備える。
【００２４】
ＭＭＴ提示クライアント装置群１１は、第１のＭＭＴ提示クライアント装置６ａおよび第２のＭＭＴ提示クライアント装置６ｂを備え、ＭＭＴ提示装置群１２は、第１のＭＭＴ提示装置７ａおよび第２のＭＭＴ提示装置７ｂを備える。本願の明細書において、第１のＭＭＴ提示クライアント装置６ａおよび第２のＭＭＴ提示クライアント装置６ｂを特に区別しない場合、単にＭＭＴ提示クライアント装置６と記載する場合がある。同様に、第１のＭＭＴ提示装置７ａおよび第２のＭＭＴ提示装置７ｂを特に区別しない場合、単にＭＭＴ提示装置７と記載する場合がある。なお、図２で示す例では、ＭＭＴ提示クライアント装置群１１が、２台のＭＭＴ提示クライアント装置６を備え、ＭＭＴ提示装置群１２が、２台のＭＭＴ提示装置７を備える場合を説明するが、各装置の台数はこれに限るものではない。
【００２５】
ＭＭＴ提示クライアント装置６およびＭＭＴ提示装置７は、互いに対応づけられて設けられ、接続される。ＭＭＴ提示クライアント装置６は、ＭＭＴ受信システム３からＭＭＴＰデータを受信してデコードし、保持する。ＭＭＴ提示クライアント装置６は、指定された提示時刻にあわせて、デコードされたＭＭＴＰデータをＭＭＴ提示装置７に入力する。ＭＭＴ提示装置７は、デコードされたＭＭＴＰデータを、提示する。
【００２６】
ＭＭＴ提示クライアント装置６は、ＣＰＵ（Central Processing Unit）などと呼ばれる処理装置であって、具体的には、ＳＴＢ（Set Top Box）１６、コンピュータやタブレットなどの端末１８の制御部１８ａなどである。ＭＭＴ提示クライアント装置６は、処理装置が実装する機能群であっても良い。ＭＭＴ提示装置７は、ディスプレイやスピーカー等の提示装置１７、端末１８の表示部１８ｂなどである。また、ＭＭＴ提示装置７としては、プロジェクタなどであっても良い。
【００２７】
同期制御装置５は、ＭＭＴ提示クライアント装置６に接続し、ＭＭＴ提示クライアント装置６からデコードされたＭＭＴＰデータの提示待機量を取得して、提示待機量の低減を指示する。デコードされたＭＭＴＰデータの提示待機量は、ＭＭＴ提示装置７がＭＭＴ送信システム２で指定された提示時間に提示するために、ＭＭＴＰデータをデコードした後、デコードされたＭＭＴＰデータを、ＭＭＴ提示クライアント装置６がＭＭＴ提示装置７に入力するまでの時間に変換可能な量である。待機量は、時間で表現されても良いし、フレーム数で表現されても良い。
【００２８】
（同期制御装置）
図３を参照して、本発明の実施の形態に係る同期制御装置５を説明する。同期制御装置５は、処理装置５０、記憶装置６０および通信制御装置７０を備える一般的なコンピュータである。一般的なコンピュータが同期制御プログラムを実行することにより、図３に示す機能を実現する。
【００２９】
処理装置５０は、ＣＰＵ（Central Processing Unit）であって、同期制御装置５における処理を実行する。記憶装置６０は、ＲＯＭ（Read Only Memory）、ＲＡＭ（Random access memory）、ハードディスク等であって、処理装置５０が処理を実行するための入力データ、出力データおよび中間データを記憶する。通信制御装置７０は、処理装置５０が、ＭＭＴ提示クライアント装置６および検出装置８に通信可能に接続するためのインタフェースである。
【００３０】
処理装置５０は、提示待機量取得部５１、低減量算出部５２および提示時刻補正部５３を備える。
【００３１】
提示待機量取得部５１は、複数のＭＭＴ提示クライアント装置６のそれぞれから、ＭＭＴＰデータをデコードしてから、ＭＭＴＰデータをＭＭＴ提示装置７に入力するまでの提示待機量を取得する。
【００３２】
図４に示す例において提示待機量取得部５１は、第１のＭＭＴ提示クライアント装置６ａおよび第２のＭＭＴ提示クライアント装置６ｂから、待機量Ｍ１およびＭ２を、それぞれ取得する。待機量Ｍ１は、第１のＭＭＴ提示クライアント装置６ａが、ＭＭＴＰデータを受信し、受信したＭＭＴＰデータをデコードした後、デコードしたＭＭＴＰデータを、第１のＭＭＴ提示装置７ａに入力するまでの時間に変換可能な量である。待機量Ｍ２は、第２のＭＭＴ提示クライアント装置６ｂが、ＭＭＴＰデータを受信し、受信したＭＭＴＰデータをデコードした後、デコードしたＭＭＴＰデータを、第２のＭＭＴ提示装置７ｂに入力するまでの時間に変換可能な量である。
【００３３】
低減量算出部５２は、複数のＭＭＴ提示クライアント装置６の各提示待機量を比較して、最も提示待機量の少ない提示待機量に基づいて、提示待機量の低減量を算出する。より具体的には、低減量算出部５２は、最も提示待機量の少ないＭＭＴ提示クライアント装置６の提示待機量が、所定の最低提示待機量よりも大きくなるように、低減量を算出する。低減量算出部５２は、各ＭＭＴ提示クライアント装置６において所定の最低提示待機量を確保できるように低減量を算出する。これにより、通信ネットワーク４の不具合などの不足の自体が生じた場合でも、ＭＭＴ受信システム３は、提示時刻に送れることなくコンテンツを提示することが可能になる。
【００３４】
図４に示す例において、第１のＭＭＴ提示クライアント装置６ａにおける待機量はＭ１で、第２のＭＭＴ提示クライアント装置６ｂにおける待機量はＭ２である。ここで、Ｍ１＜Ｍ２であるので、図４に示す各ＭＭＴ提示クライアント装置６の低減量は、第１のＭＭＴ提示クライアント装置６ａにおける待機量Ｍ１に拘束される。
【００３５】
例えば、最低提示待機量をＭｍｉｎとすると、低減後の第１のＭＭＴ提示クライアント装置６ａにおける待機量Ｍ１’は、Ｍｍｉｎである。また、低減後の第２のＭＭＴ提示クライアント装置６ｂにおける待機量Ｍ２’は、Ｍ２−（Ｍ１−Ｍｍｉｎ）である。
【００３６】
なお、図４に示す例において、ＭＭＴ提示クライアント装置６が待機を終了してから、コンテンツを提示するまでの間にかかる時間はゼロとして算出している。
【００３７】
提示時刻補正部５３は、低減量算出部５２によって算出された低減量に基づいて、デコードされたＭＭＴＰデータをＭＭＴ提示装置７が提示するタイミングを早める指示を入力する。具体的には、提示時刻補正部５３は、低減量算出部５２によって算出された低減量を、指定提示時刻Ｔから前倒しにした時刻を、補正後提示時刻Ｔ’とする。ＭＭＴ受信システム３は、すべてのＭＭＴ提示クライアント装置６において待機時間を減算することにより、ＭＭＴ送信システム２で指定された指定提示時刻Ｔよりも早く、デコードされたＭＭＴＰデータを提示することができる。例えば、ＭＭＴ送信システム２からＭＭＴＰデータが送信された場合に、ＭＭＴ受信システム３において、指定提示時刻Ｔよりも早く提示することができる。このように、ＭＭＴ受信システム３における待機時間に着目して、待機時間を減らすことにより、呼応性を向上させることができる。
【００３８】
ＭＭＴ受信システム３において待機時間を減らす方法はいくつか考えられる。例えば、提示時刻補正部５３は、ある物理空間に設けられたＭＭＴ受信システム３に属する複数のＭＭＴ提示クライアント装置６のそれぞれに対して、指示を入力して、ＭＭＴＰデータで指定された提示時刻よりも早くＭＭＴＰデータを提示する。この方法は、一つのＭＭＴ送信システム２に対して、複数のＭＭＴ受信システム３があり、各ＭＭＴ受信システム３において、ＭＭＴ送信システム２がＭＭＴＰデータを送信してから提示されるまでの時間が分散するような場合に好適である。各ＭＭＴ受信システム３は、他のＭＭＴ受信システムに拘束されることなく、自身の環境に応じて待機時間を削減することができる。
【００３９】
また他の方法として、提示時刻補正部５３は、ＭＭＴ送信システム２に対して、指示を入力する方法がある。ＭＭＴ送信システム２は、提示時刻補正部５３から入力された指示に従って、ＭＭＴＰデータで指定する提示時刻を早く設定することが可能になるので、ＭＭＴ受信システム３は提示時刻通りにコンテンツを提示すればよく、処理動作をシンプル化することが可能になる。また一つのＭＭＴ送信システム２に対して、複数のＭＭＴ受信システム３がある場合でも、複数のＭＭＴ受信システム３のそれぞれから、待機時間に関する指示を受信することにより、ＭＭＴＰデータで指定する提示時刻を最適化することが可能になる。
【００４０】
（同期制御方法）
図５を参照して、本発明の実施の形態に係る同期制御方法を説明する。
【００４１】
まず、ステップＳ１において同期制御装置５は、ＭＭＴ受信システム３の各ＭＭＴ提示クライアント装置６から、提示待機量を取得する。ステップＳ２において同期制御装置５は、ステップＳ１で取得した各ＭＭＴ提示クライアント装置６の提示待機量のうち、もっとも少ない提示待機量に基づいて、低減量を決定する。ここで低減量は、各ＭＭＴ提示クライアント装置６において所定の最低提示待機量を確保できるように、決定される。
【００４２】
次に、ステップＳ３において同期制御装置５は、処理対象のＭＭＴ提示クライアント装置６の現在の提示待機量から、ステップＳ２で決定された低減量の分を減らすよう、処理対象のＭＭＴ提示クライアント装置６に指示する。ＭＭＴ受信システム３の各ＭＭＴ提示クライアント装置６について、ステップＳ３の処理を繰り返す。
【００４３】
なお、他の例として、ステップＳ２で決定された低減量を、ＭＭＴ送信システム２に通知して、ＭＭＴＰデータで指定される提示時間を前倒しさせても良い。
【００４４】
このような本発明の実施の形態は、ＭＭＴ提示クライアント装置のそれぞれから提示待機量を取得して、最小の提示待機量に基づいて低減量を決定するので、ＭＭＴ提示クライアント装置における無駄な待機を削減することにより、呼応性を向上させることができる。
【００４５】
（変形例）
本発明の実施の形態においては、同期制御装置５が、ＭＭＴ提示クライアント装置６と物理的に異なる場合を説明したが、変形例においては、同期制御装置５の各機能が、ＭＭＴ提示クライアント装置６内で実装される。具体的には、図２に示すＭＭＴ提示クライアント装置６のいずれかに、同期制御装置５の機能が実装され、各ＭＭＴ提示クライアント装置６は通信可能に接続される。
【００４６】
このような変形例によれば、ＭＭＴ受信システム３における接続をシンプルにすることが可能になる。
【００４７】
（その他の実施の形態）
上記のように、本発明の実施の形態とその変形例によって記載したが、この開示の一部をなす論述および図面はこの発明を限定するものであると理解すべきではない。この開示から当業者には様々な代替実施の形態、実施例および運用技術が明らかとなる。
【００４８】
例えば、本発明の実施の形態に記載した同期制御装置は、図２に示すように一つのハードウエア上に構成されても良いし、その機能や処理数に応じて複数のハードウエア上に構成されても良い。また、既存の装置上に実現されても良い。
【００４９】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００５０】
１  ＭＭＴ配信システム
２  ＭＭＴ送信システム
３  ＭＭＴ受信システム
４  通信ネットワーク
５  同期制御装置
６  ＭＭＴ提示クライアント装置
７  ＭＭＴ提示装置
５０  処理装置
５１  提示待機量取得部
５２  低減量算出部
５３  提示時刻補正部
６０  記憶装置
７０  通信制御装置
【図１】
2018207142.tif 000003
【図２】
2018207142.tif 000004
【図３】
2018207142.tif 000005
【図４】
2018207142.tif 000006
【図５】
2018207142.tif 000007